(57)【要約】【課題】被止着物に打ち込まれ、被止着物の裏面にて折曲されたステープラー針の脚部を被止着物と直角に起こす作業を容易に行なうことができ、被止着物を損傷することなく被止着物からステープラー針を容易に抜き取ることが可能であり、かつ、使用時に手や指を負傷し、あるいは、被止着物等を損傷するおそれがないステープラー針抜取り手段を提供する。【解決手段】支持体１には爪片３を突設し、該爪片には該爪片の先端より切込部５を形成し、該切込部の入口部７は該切込部の奥部９よりも狭幅であることを特徴とするステープラー針抜取り手段。【選択図】図１
0003128046.tif 000002
【実用新案登録請求の範囲】
【請求項１】
支持体には爪片を突設し、該爪片には該爪片の先端より切込部を形成し、該切込部の入口部は該切込部の奥部よりも狭幅であることを特徴とするステープラー針抜取り手段。
【請求項２】
前記爪片の上方に押さえ用爪片を備えさせたことを特徴とする請求項１に記載のステープラー針抜取り手段。
【請求項３】
前記支持体はステープラーであることを特徴とする請求項１又は２に記載のステープラー針抜取り手段。
【考案の詳細な説明】
【技術分野】
【０００１】
本考案は、ステープラー針抜取り手段に関するものであり、更に詳しくは、被止着物に打ち込まれたステープラー針（ステープル）を抜き取るためのステープラー針抜取り手段（ステープラー針抜取り装置）に係るものである。
【０００２】
本出願において、「被止着物」とは、ステープラーにより止着される書類、紙片等のものをいう。
【背景技術】
【０００３】
実用新案登録第３０３５８５８号公報は、中央に切欠部を備えた針起こしの上方中央に針押さえを配設してなるステープラー針抜取り手段（以下「従来のステープラー針抜取り手段」という。）を開示している。
【０００４】
従来のステープラー針抜取り手段における針起こし中央の切欠部は、該針起こしの先端より略Ｖ字状に切欠してなるものである。
【特許文献１】実用新案登録第３０３５８５８号公報
【考案の開示】
【考案が解決しようとする課題】
【０００５】
ステープラー針を被止着物から抜き取る際には、被止着物の損傷を防ぐために、被止着物に打ち込まれ、被止着物の裏面にて折曲されたステープラー針の脚部を被止着物と直角に起こした後、該ステープラー針を被止着物から抜き取ることが必要である。図６参照。
【０００６】
しかして、従来のステープラー針抜取り手段における針起こし中央の切欠部は、該針起こしの先端より略Ｖ字状に切欠してなるものであるため、ステープラー針の脚部を該切欠部内に位置させた状態で該針起こしを回動させても、ステープラー針の脚部を起こすことは容易ではない。けだし、針起こしを回動させたときに略Ｖ字状の切欠部からステープラー針の脚部が脱出するおそれがあるからである。
【０００７】
また、従来のステープラー針抜取り手段における針起こし中央の切欠部は、該針起こしの先端より略Ｖ字状に切欠してなるものであるため、該針起こしには二つの尖った先端が相互に大きな間隔を置いて形成されている。従って、これらの尖った先端により手や指を負傷し、あるいは、被止着物等を損傷するおそれがある。
【０００８】
本考案は、従来のステープラー針抜取り手段における上述の如き問題を解決し、被止着物に打ち込まれ、被止着物の裏面にて折曲されたステープラー針の脚部を被止着物と直角に起こす作業を容易に行なうことができ、被止着物を損傷することなく被止着物からステープラー針を容易に抜き取ることが可能であり、かつ、使用時に手や指を負傷し、あるいは、被止着物等を損傷するおそれがないステープラー針抜取り手段を提供しようとしてなされたものである。
【課題を解決するための手段】
【０００９】
上記課題を解決するために、本考案は、下記のステープラー針抜取り手段を提供する。
【００１０】
（１）支持体には爪片を突設し、該爪片には該爪片の先端より切込部を形成し、該切込部の入口部は該切込部の奥部よりも狭幅であることを特徴とするステープラー針抜取り手段（請求項１）。
【００１１】
（２）前記爪片の上方に押さえ用爪片を備えさせる（請求項２）。
【００１２】
（３）前記支持体はステープラーである（請求項３）。
【考案の効果】
【００１３】
［請求項１の考案］
爪片に形成された切込部の入口部は該切込部の奥部よりも狭幅であるため、被止着物に打ち込まれ、被止着物の裏面にて折曲されたステープラー針の脚部を被止着物と直角に起こす際に、ステープラー針の脚部を爪片に形成された切込部内に位置させた状態で支持体を回動させたときには、ステープラー針の脚部は該切込部から脱出することなく、被止着物と直角に容易に起こされる。図６参照。従って、被止着物を損傷することなく、被止着物からステープラー針を容易に抜き取ることができる。図７参照。
【００１４】
また、爪片に形成された切込部の入口部は該切込部の奥部よりも狭幅であるため、ステープラー針抜取り手段の使用時に手や指を負傷し、あるいは、被止着物等を損傷するおそれがない。
【００１５】
［請求項２の考案］
被止着物の表側においてステープラー針の脚部を爪片に形成された切込部内に位置させた状態で支持体を抉じたときには、ステープラー針は爪片と押さえ用爪片とにより挟持された状態で被止着物から確実に抜かれる。このとき、ステープラー針は爪片と押さえ用爪片とにより挟持されているため、ステープラー針が飛ぶおそれはない。図８参照。
【００１６】
［請求項３の考案］
請求項３の考案は、ステープラーにステープラー針抜取り手段を備えさせたものであり、上記請求項、２の考案と同様の効果を発揮する。
【考案を実施するための最良の形態】
【００１７】
符号１に示すものはステープラー針抜取り手段の支持体である。
【００１８】
図１〜図４に示す支持体は、手で把持するに適した柄部である。
【００１９】
支持体１には爪片３を突設する。爪片３は、好ましくは先端を略半円形状に形成する。
【００２０】
爪片３には該爪片３の先端より切込部５を形成する。
【００２１】
爪片３における切込部５の入口部７は該切込部５の奥部９よりも狭幅である。
【００２２】
図１に示す事例においては、爪片３の切込部５は入口部７から奥部９に向かって幅が徐々に大きくなるように形成されている。
【００２３】
図２に示す事例においては、爪片３の切込部５は、入口部７から奥部９に向かって同一幅の狭幅部が形成され、奥部９に円形の大径部が形成されている。
【００２４】
図３、図４に示す事例においては、爪片３の上方に押さえ用爪片１１を備えさせている。
【００２５】
図５における支持体１はステープラー（ホッチキス）である。
【００２６】
図５において、符号１３に示すものはステープラーのベースであり、符号１５に示すものはステープラー針１７を収納するフレームであり、符号１９に示すものはハンドルである。
【００２７】
図６〜図８において、符号２１に示すものは被止着物、符号１７ａに示すものはステープラー針１７の中央部、符号１７ｂに示すものはステープラー針１７の脚部である。
【図面の簡単な説明】
【００２８】
【図１】本考案によるステープラー針抜取り手段の一例を示す平面図である。
【図２】本考案によるステープラー針抜取り手段の別の一例を示す平面図である。
【図３】本考案によるステープラー針抜取り手段の更に別の一例を示す平面図である。
【図４】同上ステープラー針抜取り手段を示す側面図である。
【図５】本考案によるステープラー針抜取り手段の更に別の一例を示す側面図である。
【図６】図１のステープラー針抜取り手段の使用状態の一例を示す断面図である。
【図７】図１のステープラー針抜取り手段の使用状態の別の一例を示す断面図である。
【図８】図３、図４のステープラー針抜取り手段の使用状態の一例を示す断面図である。
【符号の説明】
【００２９】
１  支持体
３  爪片
５  切込部
７  入口部
９  奥部
１１  押さえ用爪片
１３  ベース
１５  フレーム
１７  ステープラー針
１７ａ  中央部
１７ｂ  脚部
１９  ハンドル
２１  被止着物
【図１】
0003128046.tif 000003
【図２】
0003128046.tif 000004
【図３】
0003128046.tif 000005
【図４】
0003128046.tif 000006
【図５】
0003128046.tif 000007
【図６】
0003128046.tif 000008
【図７】
0003128046.tif 000009
【図８】
0003128046.tif 000010